(57)【要約】【課題】ある紙に対して特定の画像をプリントするように関連付けをしておくことで、プリント前の紙に対してメッセージを書き込むことを可能にする。【解決手段】第１の装置および第２の装置からなる画像処理装置において、前記第１の装置は、撮像手段と、用紙の識別情報を読み込む第１の識別手段と、前記撮像手段により撮像された画像データと、前記識別手段により読み取られた前記識別情報を対応付ける管理手段を備え、前記第２の装置は、画像データの出力を行う出力手段と、前記用紙の識別情報を読み込む第２の識別手段と、前記第１の管理手段の情報を取得する管理情報取得手段を備え、前記第２の識別手段で用紙の識別情報を読み取り、前記管理情報取得手段から、前記識別情報と対応する画像データを出力する。【選択図】        図１
2006119871.tif 000002
【特許請求の範囲】
【請求項１】
第１の装置および第２の装置からなる画像処理装置において、
前記第１の装置は、撮像手段と、
用紙の識別情報を読み込む、第１の識別手段と、
前記撮像手段により撮像された画像データと、前記識別手段により読み取られた前記識別情報を対応付ける管理手段を備え、
前記第２の装置は、画像データの出力を行う出力手段と、
前記用紙の識別情報を読み込む、第２の識別手段と、
前記第１の管理手段の情報を取得する管理情報取得手段を備え、
前記第２の識別手段で用紙の識別情報を読み取り、前記管理情報取得手段から、前記識別情報と対応する画像データを出力することを特徴とする画像処理装置。
【請求項２】
前記用紙の識別情報とは、２次元バーコードであることを特徴とする請求項１に記載された画像処理装置。
【請求項３】
前記用紙の識別情報とは、ＩＣタグ内に納められた情報であることを特徴とする請求項１に記載された画像処理装置。
【請求項４】
撮影を行い、画像データを生成する撮像ステップと、
用紙の識別情報を取得する識別ステップと、
前記識別ステップで取得された前記識別情報と、前記画像データとの対応付けを行う管理ステップと、
再度、前記識別情報を取得することにより、管理ステップにより対応付けられた画像データを出力する出力ステップとを含むことを特徴とする画像処理方法。
【請求項５】
前記識別情報とは、２次元バーコードであることを特徴とする請求項４に記載の画像処理方法。
【請求項６】
前記識別情報とは、ＩＣタグ内に納められた情報であることを特徴とする請求項４に記載の画像処理方法。
【請求項７】
撮影を行い、画像データを生成する撮像ステップと、
媒体の識別情報を取得する識別ステップと、
前記識別ステップで取得された前記識別情報と、前記画像データの対応付けを行う管理ステップと、
再度、前記識別情報を取得することにより、管理ステップにより対応付けられた画像データを出力する出力ステップとを含む処理を、画像処理装置に実行させるプログラムを提供することを特徴とする媒体。
【請求項８】
前記識別情報とは、２次元バーコードであることを特徴とする請求項７に記載の媒体。
【請求項９】
前記識別情報とは、ＩＣタグ内に納められた情報であることを特徴とする請求項７に記載の媒体。
【発明の詳細な説明】
【技術分野】
【０００１】
本発明は、デジタルカメラとプリンターを組み合わせたダイレクトプリントに関し、特にプリント用紙固有の識別情報を取得し、その識別情報に関連付けられた画像を印刷することができるようにした画像処理装置および方法、並びに媒体に関する。
【背景技術】
【０００２】
従来、銀塩フィルムを用いて撮影を行う銀塩カメラでは、撮影した被写体の画像を見るために現像処理を行い、印画紙に焼き付けることが必要である。このため、銀塩カメラでは、撮影した被写体の画像をその場で簡単にプリントして見ることが出来ない問題があった。
【０００３】
そこで、撮影したその場で写真プリントを見るための装置として、撮影した被写体の画像を特殊な印画紙に直接焼き付けて同時にプリントできるようにしたインスタントカメラが実用化されている。
【０００４】
しかし、インスタントカメラにおいては、次のような欠点がある。撮影された画像は、全てインスタントフィルム上に記録されるのみであり、特に複数枚のプリントを得ようとした場合には、インスタントフィルム上に形成された画像をコピーするしかなく不便である。また、全てのシーンがその場でプリントアウトする必要性が高いとは限らず、インスタント写真では、その場でプリントアウトせずに後でまとめてプリントアウトするということができない。
【０００５】
このようなインスタント写真の欠点を補う方法として、レンズを通して撮像素子により撮像した被写体の画像情報を記録媒体に取り込むデジタルカメラと、撮影した画像をプリント用紙等に出力するプリンターの組み合わせが考えられる。特にパソコンを使わずに直接デジタルカメラとプリンターを接続することで、撮影したその場で画像のプリントが得られるダイレクトプリントが実用化されている。
【０００６】
デジタルカメラで撮影された画像は一旦、デジタルカメラが有する記録媒体に保存される。この画像をプリンターからプリントアウトする為に、ユーザはデジタルカメラとプリンターをケーブル等で接続する。次に、記録媒体に保存されている画像をデジタルカメラの表示部に表示し、プリントしたい画像を選択する。この時画像を選択するためにデジタルカメラの有する操作部材を用いる。プリントしたい画像が選択できたらデジタルカメラの操作部材に割り付けられたプリント指示キーを押す。これにより、デジタルカメラ内でプリント用の画像処理が実行され、撮影したその場で画像をプリントすることが出来るようになっている。
【０００７】
また、記録媒体に取り込まれた画像データを印刷することで、複数枚のプリントも容易である。また、撮影後に撮影した画像を閲覧しながら、プリントしたい画像のみを指定してのプリントアウトが可能である。このようにインスタント写真の欠点を補うことが可能である。
【０００８】
一方、インスタントカメラでは撮影後すぐに紙が排出され、現像処理の後に撮影した画像が見られるようになっている。そのため、例えば結婚式やパーティ会場などで、撮影時に紙にメッセージを書き込むという使われ方がなされている。
【特許文献１】特開２００３−５２７６７号公報
【特許文献２】特開２０００−７６２８３号公報
【発明の開示】
【発明が解決しようとする課題】
【０００９】
しかし、デジタルカメラとプリンターの組み合わせでは、プリンターは一旦プリント処理を開始するとその処理を終えるまで、プリント用紙が排出されない。そのため、プリント用紙にメッセージの書き込みが出来るまでには、プリント処理が終了するまでの時間を待たなくてはならなかった。
【００１０】
特に連続して撮影とプリントをしなければならない場合には、時間のかかるプリント処理のため、用紙のメッセージ書き込みだけでなく、次の撮影をも待たなくてはならなかった。そのため、先に撮影だけを済ませ、後でプリント処理をまとめて行うことも可能だが、被写体の対象が大人数になるほど、プリントアウトされた用紙と被写体となった人との関連付けを行うことは困難であった。このような状況下では、被写体となった人にとっても、自分が写っている画像のプリントを確実に受け取れるのは困難であった。
【００１１】
本発明は、このような状況に鑑みてなされたものであり、ある紙に対して特定の画像をプリントするように関連付けをしておくことで、プリント前の紙に対してメッセージを書き込むことを可能にするものである。
【００１２】
また、被写体となった人が撮られた画像と関連付けられたプリント用紙を受け取っておくことで、後からプリント処理を行っても、確実に自分が写っている画像のプリントを受け取ることが出来る。
【課題を解決するための手段】
【００１３】
上記目的を達成するために、本発明の画像処理装置には、以下のような構成要素を備えるようにした。
【００１４】
第１の装置および第２の装置からなる画像処理装置において、
前記第１の装置は、画像データの生成を行う撮像手段と、
前記撮像手段により撮像された用紙の識別情報の画像データから、前記識別情報を取得する識別手段と、
前記撮像手段により撮像された画像データと、前記識別手段により取得された識別情報を対応付ける管理手段と、
前記第２の装置との通信を行う通信手段を備え、
前記第２の装置は、画像データの出力を行う出力手段と、
前記用紙の識別情報を読み込む、読み取り手段と、
前記第１の装置との通信を行う通信手段を備え、
前記第２の装置の読み取り手段で読み取った用紙の識別情報から、前記第１の装置の管理手段で管理されている画像データを出力することを特徴とする画像処理装置、
を備える。
【発明の効果】
【００１５】
プリント用紙に何がプリントされるかを、プリントをする前に特定することが出来るため、時間がかかるプリント処理の前にプリント用紙にメッセージ等を書き込むことが可能である。
【００１６】
また、被写体となった人が撮られた画像と関連付けられたプリント用紙を受け取っておくことで、後からプリント処理を行っても、確実に自分が写っている画像のプリントを受け取ることが可能である。
【００１７】
また、定型のフォームと関連付けることで、対応付けた複数の画像群を任意の場所に間違いなく配置することが可能である。
【発明を実施するための最良の形態】
【００１８】
以下、本発明の詳細をその実施の形態にもとづいて図面を参照しながら説明する。
【実施例】
【００１９】
（第１の実施の形態）
図１は本発明による情報記憶装置の例として、デジタルカメラの一構成例を示したブロック図である。１００はデジタルカメラ本体を示す。
【００２０】
制御部１０１には撮像部１０２、操作部１０３、メインスイッチ１０４、シャッタースイッチ１０５及び１０６、モード切り替えスイッチ１０７、カードＩ／Ｆ１０９、カバー開閉検出部１１２、電源制御部１１３、通信Ｉ／Ｆ１１６、からそれぞれ信号が入力される。また制御部１０１から表示部１０８、カードＩ／Ｆ１０９、電源制御部１１３に対して出力がなされる。また、制御部１０１はＲＯＭ１１４、ＲＡＭ１１５に接続している。
【００２１】
撮像部１０２は、複数のレンズ及び絞り、更に光学フィルタを介して被写体の光学的画像を撮像素子上に結像させ、その画像信号に所定の演算処理を行いデジタル信号に変換し、制御部１０１に入力する。
【００２２】
操作部１０３、メインスイッチ１０４、シャッタースイッチ１０５及び１０６、モード切り替えスイッチ１０７は、制御部の各種の動作指示を入力するための操作手段であり、スイッチやダイアル、タッチパネル、視線検知によるポインティング、音声認識装置等の単数或いは複数の組み合わせで構成される。各種操作手段の操作により、操作信号を制御部１０１に指示することができる。
【００２３】
メインスイッチ１０４は、デジタルカメラの電源オン、電源オフの切り替え設定を指示するスイッチである。１０５のシャッタースイッチＳＷ１は、ＡＦ（オートフォーカス）処理、ＡＥ（自動露出）処理、ＡＷＢ（オートホワイトバランス）処理、ＥＦ（フラッシュプリ発光）処理等の動作開始を指示するスイッチである。
【００２４】
１０６のシャッタースイッチＳＷ２は、撮像部１０２から読み出したデジタル信号を制御部１０１を介してカードＩ／Ｆ１０９に送り、カードスロット１１０に挿入されているカード１１７に画像データを書き込むという一連の処理の動作開始を指示するスイッチである。
【００２５】
モード切り替えスイッチ１０７は、デジタルカメラの撮影モード、再生モード、通信モード等の各機能モードのいずれかに切り替えるスイッチである。
【００２６】
各種ボタンやダイアル、タッチパネル等からなる操作部１０３は、メニューボタン、撮影・再生・通信の各モードで機能を実行する際に、各種機能の選択及び切り替えを設定する選択／切り替えスイッチ、各種機能やユーザ設定、画像に対するプロパティ設定などの決定及び実行を行う決定／実行スイッチ等がある。
【００２７】
表示部１０８は、文字、画像、音声等を用いて動作状態やメッセージ等を表示する液晶表示装置、スピーカー等の表示部であり、デジタルカメラの操作部近辺の視認し易い位置に単数或いは複数個所設置される。例えば、ＬＣＤや光学ファインダ、ＬＥＤ、発音素子等の組み合わせにより構成される。撮影時には、デジタルカメラのファインダであるとともに、再生時にはディスプレイとなる。
【００２８】
表示部１０８の表示内容の一例として、デジタルカメラ設定の各種情報表示、メニュー表示、エラー表示、カードのライトプロテクト表示、カードの着脱状態表示、スロットカバーの開閉状態表示、アプリケーション動作表示、通信Ｉ／Ｆ動作表示、日付・時刻表示、カードに保存されている画像ファイルの表示、バッテリー状態表示、外部コンピュータとの接続状態を示す表示、等がある。
【００２９】
カードＩ／Ｆ１０９は、制御部１０１から送られる画像データをカード１１７への記録や、カード１１７内データの読み込みを行うためのインタフェースである。
【００３０】
１１０は、カード１１７を格納するためのカードスロットである。カードスロット１１０には、カード保護、データ保全のためのスロットカバー１１１が付いている。さらに、スロットカバー１１１には、カバー開閉検出部１１２が付いており、これによりスロットカバーの開閉状態を検出する。
【００３１】
電源制御部１１３は、電池検出回路、ＤＣ−ＤＣコンバータ、通電するブロックを切り替えるスイッチ回路等により構成されており、電池の装着の有無、電池の種類、電池残量の検出を行い、検出結果及び制御部の指示に基づいてＤＣ−ＤＣコンバータを制御し、必要な電圧を必要な期間、記録媒体を含む各部へ供給する。
【００３２】
電源１１８はアルカリ電池やリチウム電池等の一次電池やＮｉＣｄ電池やＮｉＭＨ電池、Ｌｉ‐ｉｏｎ電池等の二次電池、ＡＣアダプター等からなる電源手段である。
【００３３】
ＲＯＭ１１４は、制御部動作用の定数、変数、プログラム等や、各種リソースが書き込まれている。また、ＲＡＭ１１５は、制御プログラムが使用するワーク領域やデータ領域である。
【００３４】
通信Ｉ／Ｆ１１６は、ＲＳ２３２ＣやＵＳＢ（Ｕｎｉｖｅｒｓａｌ  Ｓｅｒｉａｌ  Ｂｕｓ）、ＩＥＥＥ１３９４、モデム、ＬＡＮ（Ｌｏｃａｌ  Ａｒｅａ  Ｎｅｔｗｏｒｋ）などの有線通信や無線通信、ＩｒＤＡ（Ｉｎｆｒａｒｅｄ  Ｄａｔａ  Ａｓｓｏｃｉａｔｉｏｎ）などの赤外線通信、光通信等の各種通信機能のいずれかを備える構成である。また、各種通信機能のうちの複数を備える構成でもよい。
【００３５】
図２は、プリンターの制御系部分の構成を示す。２０１はプリンター全体を制御するＣＰＵ、２０２はＣＰＵ２０１の制御プログラムや画像データをプリンタヘッドへ送るデータに変換するためのパラメータ等が格納されているフラッシュＲＯＭ、２０３はＣＰＵ２０１のワーク用ＤＲＡＭ、２０４はデジタルカメラとの通信を行うための通信制御回路、２０５はそのＩ／Ｆコネクタ部である。
【００３６】
また、２０７はプリンターのメカコントロール系制御回路、２０８は画像データをプリンタヘッドのデータへ変換する制御回路、２０９はプリント用紙の識別情報の読み取りを行う制御回路、２０６はプリンターを制御するＡＳＩＣであり、メカコントロール系制御、プリンタヘッド制御、識別情報認識制御等の処理を行う。
【００３７】
図８には、本実施形態のプリントシステムの概略構成を示す。同図に示すように、撮像装置であるデジタルカメラ８０１とプリンター８０３とが、ケーブル８０２を介して直接的に接続されている。本プリントシステムでは、電子的な画像の情報を任意なプリント枚数分プリントアウトすることが出来る。なお、デジタルカメラとプリンターとの接続は、ケーブル等による有線通信だけでなく、無線通信を行うようにしても良い。
【００３８】
デジタルカメラは撮影後にデジタルカメラの内部のカードに画像情報が保持され、カードは着脱自由となっている。デジタルカメラのモードを設定して、任意の画像を再生させることができ、画像情報の再生はデジタルカメラの備える表示部によって随時確認できるため、ユーザは撮影された好きな画像情報を任意に呼び出すことが可能である。
【００３９】
ユーザはデジタルカメラの操作部材で、プリントパターン、プリントしたい画像、プリント指定枠等を選択し、デジタルカメラの表示部で、その内容を確認することが可能である。
【００４０】
デジタルカメラの所定のプリント実行ボタンを操作すると、デジタルカメラからプリンターへ必要な情報が通信され、プリンターからプリント出力が得られる。上記必要な情報としては、デジタルカメラとのネゴシエーションの情報や、デジタルカメラからのプリントすべき画像の情報、画像情報に記録時または記録後に付加された情報等である。
【００４１】
次に、プリント用紙の識別情報と撮影画像の関連付けの方法について説明する。順序に制限はなく、プリント用紙の識別情報の読み取りと被写体の撮影のどちらを先に行っても良い。
【００４２】
図３において、被写体の画像を撮影した直後の状態で、プリント用紙の識別情報との関連付けについて説明する。まず、デジタルカメラをプリント用紙の識別情報の読み取り可能な設定にする。これはデジタルカメラの撮影モードのひとつとしても、撮影モード設定のうちのひとつとしても良い。ステップ３０１において、プリント用紙の識別情報の撮影を行い、プリント用紙の識別情報の内容を読み取る。次のステップ３０２で、対応画像関連付けの設定に移行する。対応画像関連付けのフローについては、図４で説明する。
【００４３】
図４において、対応画像関連付けの方法について説明する。ステップ４０１において、読み取った識別情報と関連付ける画像の選択を行う。関連付ける画像を選択した場合はステップ４０２へ、選択しない場合はステップ４０３へ移行する。ステップ４０２では、読み取った識別情報と選択した画像ファイル名を関連付けて、カード１１７に記録する。ステップ４０３では、画像の関連付けは行わずに、読み取った識別情報のみをカード１１７に記録する。
【００４４】
次に図５において、プリント用紙の識別情報がカード１１７に記録した直後に、撮影した画像との関連付けについて説明する。まず、デジタルカメラを撮影モードに設定する。ステップ５０１において、被写体の撮影処理を実行する。ステップ５０２で、撮影された画像が表示部１０８に表示される。次のステップ５０３で、カード１１７に記録されているプリント用紙の識別情報との関連付けを行うかを選択する。関連付けを行う場合はステップ５０４へ、行わない場合はステップ５０１へ移行する。ステップ５０４では、撮影した画像と関連付けるプリント用紙の識別情報を選択する。関連付けるプリント用紙の識別情報を選択した場合はステップ５０５へ、選択しない場合はステップ５０１へ移行する。ステップ５０５では、撮影した画像のファイル名とプリント用紙の識別情報を関連付けて、カード１１７に記録を行う。
【００４５】
図６では、プリント用紙の識別情報を読み取ることで、関連付けられた画像を確認する方法について説明する。まず、デジタルカメラをプリント用紙の識別情報の読み取り可能な設定にする。ステップ６０１において、プリント用紙の識別情報の撮影を行い、プリント用紙の識別情報の内容を読み取る。次のステップ６０２で、読み取った識別情報と関連付けられた画像があるかカード１１７の記録の検索を行う。関連画像がある場合はステップ６０３へ、ない場合はステップ６０９へ移行する。ステップ６０９では、関連画像がないため図４で説明した対応画像関連付け設定を行う。ステップ６０３では、識別情報に関連付けられた画像の表示を表示部１０８に行う。次のステップ６０４では、関連づけられている画像の変更を行うか確認する。変更を行う場合はステップ６０５へ移行し、行わない場合は終了する。
【００４６】
ステップ６０５では、読み取った識別情報と新たに関連付ける画像の選択を行う。新たに関連付ける画像を選択した場合はステップ６０６へ、選択しない場合はステップ６０７へ移行する。ステップ６０６では、読み取った識別情報と新たに選択した画像ファイル名を関連付けて、カード１１７に記録する。ステップ６０７では、読み取った識別情報に関連した画像情報の削除を行うか選択する。削除を行う場合はステップ６０８へ、行わない場合は終了する。ステップ６０８では、読み取った識別情報に関連した画像情報の削除を行い、終了する。
【００４７】
図７では、デジタルカメラと接続したプリンターが、プリント用紙の識別情報の読み取りからプリント実行までのフローを示す。プリンターの用紙送り機構には、識別情報の読み取り手段が設定されているものとする。まずステップ７０１において、プリンターの用紙送り機構に取り込み、プリント用紙の識別情報を読み込む。次のステップ７０２において、読み取った識別情報をデジタルカメラに送信する。ステップ７０３では、送信した識別情報に対する関連付けられた画像の情報が通知され、関連画像がある場合はステップ７０４へ、ない場合はステップ７０６へ移行する。ステップ７０４では、関連付けられた画像データを受信し、次のステップ７０５で対応画像のプリント処理を実行し終了となる。一方、ステップ７０６では、関連付けられた画像が見つからないため、プリント処理を実行することなく終了となる。
【００４８】
本実施例では、プリント用紙の識別情報を２次元バーコードによって記されているものとする。従来バーコードは、読み取りの速さ、正確さ、操作性の高さなどの特徴から広く普及しているが、より多くの情報やより小スペースのニーズに答えるため、２次元バーコードが開発されている。図９は、２次元バーコードを示している概略図である。
【００４９】
バーコードは１方向だけに情報を持っているのに対し、２次元バーコードは縦、横の二方向に情報を持つことで、より高密度に情報を格納させている。また、コード自体のサイズを小さくすることが出来る。代表的な２次元バーコードには、ＱＲコード、ＰＤＦ４１７、Ｄａｔａ  Ｍａｔｒｉｘ、Ｍａｘｉ  Ｃｏｄｅなどがある。
【００５０】
図１０は、２次元バーコード１００２が印刷されたプリント用紙１００１を示す図である。２次元バーコードにはメーカー名、商品名、シリアル番号など、プリント用紙固有の識別情報が記されており、デジタルカメラやプリンターはこの情報を読み取り、それぞれのプリント用紙を識別する。本図ではプリント面と同じ面に２次元バーコードが印刷されている例を示しているが、識別情報が読み取ることが出来れば、プリント面の表側と裏側、どちらに印刷されていても構わない。
【００５１】
図１１は、デジタルカメラ１１０１で、プリント用紙１１０３の２次元バーコードで記された識別情報１１０４を読み取る例を示している。デジタルカメラ１１０１をプリント用紙の識別情報の読み取り可能な設定にした上で、識別情報１１０４を撮影し、プリント用紙に記された識別情報１１０４を読み取る。本図では、読み取った識別情報１１０４がデジタルカメラの表示部１１０２に表示され、デジタルカメラのカードに記録するかを確認している。
【００５２】
図１２は、２次元バーコードで記された識別情報１２０２をデジタルカメラで読み取り、撮影画像との関連付けを行ったプリント前のプリント用紙１２０１に対して、手書きメッセージ１２０３を記した例を示した図である。該プリント用紙にどの画像がプリントされるかの関連付けを行っているため、プリントを実行する前に、プリント用紙にメッセージ等を書き込むことが可能である。
【００５３】
図１３は、プリント前にメッセージを書き込んだプリント用紙１３０５に対して、識別情報に関連付けられた画像をプリントする例を示した図である。デジタルカメラ１３０１とプリンター１３０４とが、ケーブル１３０３を介して直接的に接続されている。プリンター１３０４が、プリント用紙１３０５の識別情報を読み取り、デジタルカメラ１３０１に識別情報を送信する。デジタルカメラ１３０１は識別情報と画像の管理情報から、識別情報に関連付けられた画像の検索を行い表示部１３０２に表示し、プリンター１３０４にプリント用の画像のデータを送信する。プリンター１３０４は、画像データを受信して、プリント用紙１３０５にプリント出力を行う。
【００５４】
（第２の実施の形態）
以下、図１４〜図１６を参照して、第２の実施の形態を説明する。なお、プリントシステムの構成等については上記第１の実施の形態と同様なので、以下では相違点を中心に説明する。
【００５５】
第１の実施例では、プリント用紙の識別情報を２次元バーコードによって記されているものとしたが、本実施例では識別情報をＩＣタグによって実現するものとする。
【００５６】
図１４は、本実施例における、デジタルカメラの構成例を示したブロック図である。第１の実施例で示した図１との相違点は、ＩＣタグ  リーダー／ライター１４０１を備えた点にある。従来は、撮像部により２次元バーコードを撮影し、識別情報を読み取っていたが、ＩＣタグ  リーダー／ライター１４０１によりＩＣタグの読み取り／書き込みを行う。
【００５７】
プリンターについては、図２で示した、プリント用紙の識別情報の読み取りを行う制御回路のＩＤ  ＣＴＬ２０９が２次元バーコードの読み取りではなく、ＩＣタグのリーダーに置き換わる。
【００５８】
図１５は、ＩＣタグ１５０２を有するプリント用紙１５０１を示す図である。ＩＣタグにはメーカー名、商品名、シリアル番号、関連付けされた画像など、プリント用紙固有の識別情報が記されており、デジタルカメラやプリンターはこの情報を読み取り、それぞれのプリント用紙を識別する。
【００５９】
図１６は、デジタルカメラ１６０１で、プリント用紙１６０３のＩＣタグで記された識別情報１６０４を読み取る例を示している。デジタルカメラ１６０１上にプリント用紙１６０３をかざすと、プリント用紙に有する識別情報１６０４を読み取る。本図では、読み取った識別情報１６０４がデジタルカメラの表示部１６０２に表示され、プリント用紙のＩＣタグに情報の更新を行うか確認をしている。
【００６０】
その他の識別情報の読み取りのフローや、プリント出力のフローについては、第１の実施例と同様である。
【００６１】
（その他の実施の形態）
第１と第２の実施例では、プリント用紙に対して特定の画像をプリントするように関連付けをしておくことで、プリント前の紙に対してメッセージを書き込むことを可能にするものであった。メッセージを書き込むということは、プリントアウトした結果の用紙を誰かに渡そうと考えているということである。
【００６２】
上記の実施例のように、メッセージを書き込むことを前提としなくても、プリント用紙と特定の画像が関連付けられていることで、自分が受け取りたい画像のプリントを確実に受け取ることにも適用出来る。つまり、被写体となった人が撮られた画像と関連付けられたプリント用紙を受け取っておくことで、後からプリント処理を行っても、確実に自分が写っている画像のプリントを受け取ることが出来る。識別情報と画像との関連付けについては、第１・第２の実施例と同様である。
【００６３】
また、これまでの実施例では、プリント用紙１枚に対して、印刷する画像が１つであったが、識別情報の内容と対応付けがとれれば、１枚のプリント用紙に対して、複数の画像を対応付けすることも可能である。
【００６４】
これにより、ある定型のフォームの用紙等と関連付けることで、指定された位置に指定された複数の画像群を間違いなく配置することを実現する。
【図面の簡単な説明】
【００６５】
【図１】本発明の実施形態によるデジタルカメラの構成を示すブロック図である。
【図２】本発明の実施形態によるプリンターの構成を示すブロック図である。
【図３】被写体の画像があらかじめ撮影済みの状態で、プリント用紙の識別情報との関連付けを示すフローチャート図である。
【図４】プリント用紙の識別情報との対応画像の関連付け設定を示すフローチャート図である。
【図５】プリント用紙の識別情報が記録された状態で、撮影した画像との関連付けを示すフローチャート図である。
【図６】プリント用紙の識別情報を読み取り、関連付けられた画像の確認を示すフローチャート図である。
【図７】プリンターにおける、プリント用紙の識別情報の読み取りからプリント実行までのフローチャート図である。
【図８】本実施形態のプリントシステムの概略構成を示す図である。
【図９】２次元バーコードの概略を示す図である。
【図１０】２次元バーコードの識別情報が印刷されたプリント用紙を示す図である。
【図１１】２次元バーコードを撮影して、識別情報を読み取る方法の例を示した図である。
【図１２】プリント前のプリント用紙に対して、あらかじめメッセージを書き込んだ例を示した図である。
【図１３】プリンターがプリント用紙の２次元バーコードの識別情報に対応する画像を印刷する例を示した図である。
【図１４】第２の実施例によるデジタルカメラの構成を示すブロック図である。
【図１５】ＩＣタグの識別情報を有するプリント用紙を示す図である。
【図１６】ＩＣタグ付きのプリント用紙をかざして、識別情報を読み取る方法の例を示した図である。
【符号の説明】
【００６６】
１００  デジタルカメラ
１０１  制御部
１０２  撮像部
１０３  操作部
１０４  メインスイッチ
１０５  シャッタースイッチＳＷ１
１０６  シャッタースイッチＳＷ２
１０７  モード切り替えスイッチ
１０８  表示部
１０９  カードＩ／Ｆ
１１０  カードスロット
１１１  スロットカバー
１１２  カバー開閉検出部
１１３  電源制御部
１１４  ＲＯＭ
１１５  ＲＡＭ
１１６  通信Ｉ／Ｆ
１１７  メモリカード
１１８  電源
２０１  ＣＰＵ
２０２  ＲＯＭ
２０３  ＲＡＭ
２０４  Ｃａｍｅｒａ  ＣＴＬ（通信制御回路）
２０５  Ｃａｍｅｒａ  Ｉ／Ｆ（Ｉ／Ｆコネクタ部）
２０６  ＡＳＩＣ
２０７  Ｍｏｔｏｒ  ＣＴＬ（メカコントロール系制御回路）
２０８  Ｐｒｉｎｔ  ｄａｔａ  ＣＴＬ（制御回路）
２０９  ＩＤ  ＣＴＬ（制御回路）
８０１  デジタルカメラ
８０２  ケーブル
８０３  プリンター
１００１  プリント用紙
１００２  ２次元バーコード
１１０１  デジタルカメラ
１１０２  表示部
１１０３  プリント用紙
１１０４  ２次元バーコード（識別情報）
１２０１  プリント用紙
１２０２  ２次元バーコード（識別情報）
１２０３  手書きメッセージ
１３０１  デジタルカメラ
１３０２  表示部
１３０３  ケーブル
１３０４  プリンター
１３０５  プリント用紙
１４０１  ＩＣタグ  Ｒ／Ｗ
１５０１  プリント用紙
１５０２  ＩＣタグ
１６０１  デジタルカメラ
１６０２  表示部
１６０３  プリント用紙
１６０４  ＩＣタグ（識別情報）
【図１】
2006119871.tif 000003
【図２】
2006119871.tif 000004
【図３】
2006119871.tif 000005
【図４】
2006119871.tif 000006
【図５】
2006119871.tif 000007
【図６】
2006119871.tif 000008
【図７】
2006119871.tif 000009
【図８】
2006119871.tif 000010
【図９】
2006119871.tif 000011
【図１０】
2006119871.tif 000012
【図１１】
2006119871.tif 000013
【図１２】
2006119871.tif 000014
【図１３】
2006119871.tif 000015
【図１４】
2006119871.tif 000016
【図１５】
2006119871.tif 000017
【図１６】
2006119871.tif 000018